(57)【要約】【課題】粒状性を抑制して鮮鋭性を向上させる画像処理を可能にする。【解決手段】画像処理部７０の画像調整処理部７０４は、二項ウェーブレット変換を用いて、画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理（鮮鋭性強調処理）を施し、空間周波数が０．７〜３．０本／ｍｍ、信号強度の変化量が最大信号変化量の０〜６％の範囲内の画素に対し、信号強度の変化量を減少させる処理（ノイズ除去処理又は抑制処理）を施す。【選択図】            図９
2004326325.tif 000002
【特許請求の範囲】
【請求項１】
画像信号に所定の画像処理を施して出力する画像処理方法において、
画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施し、空間周波数が０．７〜３．０本／ｍｍ、信号強度の変化量が最大信号変化量の０〜６％の範囲内の画素に対し、信号強度の変化量を減少させる処理を施す又は不変とすることを特徴とする画像処理方法。
【請求項２】
画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴とする請求項１に記載の画像処理方法。
【請求項３】
画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴とする請求項１又は２に記載の画像処理方法。
【請求項４】
画像処理対象の画像信号を輝度信号と色差信号に変換し、
前記輝度信号に対して、前記所定の画像処理が施されることを特徴とする請求項１〜３の何れか一項に記載の画像処理方法。
【請求項５】
画像信号に所定の画像処理を施して出力する画像処理装置において、
画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施す第１の画像処理部と、
画像処理対象の画像信号のうち、空間周波数が０．７〜３．０本／ｍｍ、信号強度の変化量が最大信号変化量の０〜６％の範囲内の画素に対し、信号強度の変化量を減少させる処理を施す又は不変とする第２の画像処理部と、
を備えることを特徴とする画像処理装置。
【請求項６】
前記第１の画像処理部は、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴とする請求項５に記載の画像処理装置。
【請求項７】
前記第２の画像処理部は、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴とする請求項５又は６に記載の画像処理装置。
【請求項８】
画像処理対象の画像信号を輝度信号と色差信号に変換する変換部を備え、
前記第１の画像処理部は、前記輝度信号に対して、信号強度の変化量を増加させる処理を施し、
前記第２の画像処理部は、前記輝度信号に対して、信号強度の変化量を減少させる処理を施す又は不変とすることを特徴とする請求項５〜７の何れか一項に記載の画像処理装置。
【請求項９】
画像処理装置を制御するコンピュータに、
画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施す第１の画像処理機能と、
画像処理対象の画像信号のうち、空間周波数が０．７〜３．０本／ｍｍ、信号強度の変化量が最大信号変化量の０〜６％の範囲内の画素に対し、信号強度の変化量を減少させる処理を施す又は不変とする第２の画像処理機能と、
を実現させるための画像処理プログラム。
【請求項１０】
前記第１の画像処理機能を実現させる際に、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴とする請求項９に記載の画像処理プログラム。
【請求項１１】
前記第２の画像処理機能を実現させる際に、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴とする請求項９又は１０に記載の画像処理プログラム。
【請求項１２】
画像処理対象の画像信号を輝度信号と色差信号に変換する変換機能を実現させ、
前記第１の画像処理機能を実現させる際、前記輝度信号に対して、信号強度の変化量を増加させる処理を施し、
前記第２の画像処理機能を実現させる際、前記輝度信号に対して、信号強度の変化量を減少させる処理を施す又は不変とすることを特徴とする請求項９〜１１の何れか一項に記載の画像処理プログラム。
【請求項１３】
画像信号に所定の画像処理を施して出力媒体に記録する画像記録部を備える画像記録装置において、
画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施す第１の画像処理部と、
画像処理対象の画像信号のうち、空間周波数が０．７〜３．０本／ｍｍ、信号強度の変化量が最大信号変化量の０〜６％の範囲内の画素に対し、信号強度の変化量を減少させる処理を施す又は不変とする施す第２の画像処理部と、を備え、
前記画像記録部は、前記第１の画像処理部により処理された画像信号と、前記第２の画像処理部により処理された画像信号を出力媒体に記録することを特徴とする画像記録装置。
【請求項１４】
前記第１の画像処理部は、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴とする請求項１３に記載の画像記録装置。
【請求項１５】
前記第２の画像処理部は、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴とする請求項１３又は１４に記載の画像記録装置。
【請求項１６】
画像処理対象の画像信号を輝度信号と色差信号に変換する変換部を備え、
前記第１の画像処理部は、前記輝度信号に対して、信号強度の変化量を増加させる処理を施し、
前記第２の画像処理部は、前記輝度信号に対して、信号強度の変化量を減少させる処理を施す又は不変とすることを特徴とする請求項１３〜１５の何れか一項に記載の画像記録装置。
【発明の詳細な説明】
【０００１】
【発明の属する技術分野】
本発明は、画像処理方法、画像処理装置、画像処理プログラム及び画像記録装置に関する。
【０００２】
【従来の技術】
近年、ミニラボ（小規模現像所）等において、カラー写真フィルム上に形成された画像を、ＣＣＤ（Ｃｈａｒｇｅｄ−Ｃｏｕｐｌｅｄ  Ｄｅｖｉｃｅ）センサ等を用いたフィルムスキャナで読み取って、デジタル画像信号に変換することが行なわれている。フィルムスキャナにより読み取られた画像信号は、ネガポジ反転、輝度調整、カラーバランス調整、粒状除去、鮮鋭性強調に代表される種々の画像処理が施された後に、ＣＤ−Ｒ、フロッピー（登録商標）ディスク、メモリーカード等の記録媒体に記録されたり、インターネット経由で配布されたり、インクジェットプリンタ、サーマルプリンタ等でハードコピー画像として出力されたり、ＣＲＴ（Ｃａｔｈｏｄｅ  Ｒａｙ  Ｔｕｂｅ）、液晶ディスプレイ、プラズマディスプレイ等の各種表示装置に表示されたりして鑑賞される。また最近では、安価なデジタルスチルカメラ（以下、ＤＳＣと称す。）が広く普及し、携帯電話やラップトップパソコン等の機器に組み込まれたＤＳＣも広く使用されるようになってきた。
【０００３】
しかしながら、一般に、コンパクトカメラ等の固定焦点式カメラでの撮影、レンズ付きフィルムでの撮影、室内や夜間の光量不足での撮影では、ピントが悪くぼやけた画像となってしまう場合が多い。また、安価なＤＳＣの場合、用いられているイメージセンサは画素数が少なく、レンズも安価で、また小型化で焦点距離が短いため、このようなＤＳＣにより撮影された画像も、ぼやけた画像となってしまうことが多い。
【０００４】
このような問題を解決するため、画像処理において鮮鋭性強調処理を強くかけなければならない。一般に、鮮鋭性強調処理を行う方法としては、公知のラプラシアンフィルタ、ソーベルフィルタ、ヒュッケルフィルタ等のハイパスフィルタを適用して輪郭成分を抽出して加算する方法、アンシャープマスクを用いる方法等が適用できる（例えば、非特許文献１参照。）。
【０００５】
【非特許文献１】
井上誠喜、八木伸行、林正樹、中須英輔、三谷公二、奥井誠人  共著「Ｃ言語で学ぶ実践画像処理」オーム社
【０００６】
【発明が解決しようとする課題】
しかしながら、一般にカラー写真フィルムの画像は、様々な大きさの色素雲の集合により形成されているため、写真フィルム上に形成された画像を拡大して観察すると、本来一様な色であるべきところに、色素雲の大きさに基づいたモトル（斑点）状の粒状ムラが存在する。これにより、写真フィルム上に形成された画像をＣＣＤセンサ等で光電的に読み取って得られる画像信号には、粒状ムラに対応する粒状ノイズ信号が含まれる。この粒状ノイズ信号は、特に鮮鋭性強調の画像処理に伴って著しく増大し、画質を著しく劣化させてしまうという問題があった。
【０００７】
また、安価なＤＳＣに用いられているイメージセンサは、画素ピッチが短く、低感度でショットノイズが出やすいうえ、イメージセンサの冷却が考慮されていないため、暗電流ノイズが目立つ。更に、安価なＤＳＣは、ＣＭＯＳイメージセンサが用いられていることが多いため、リーク電流のノイズが顕著に現れる。このようなノイズが、カラーフィルタ配列の補間やエッジ強調の画像処理を経ることで、モトル状の粒状ムラが形成され、鮮鋭性強調処理に伴って増大し、画質を劣化させてしまうという問題があった（ＤＳＣのノイズやカラーフィルタ配列の補間については、例えば、「ファインイメージングとディジタル写真」日本写真学会出版委員会編、コロナ社、２．３章を参照。）。
【０００８】
本発明の課題は、粒状性を抑制して鮮鋭性を向上させる画像処理を可能にすることである。
【０００９】
【課題を解決するための手段】
上記課題を解決するため、請求項１記載の発明は、画像信号に所定の画像処理を施して出力する画像処理方法において、画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施し、空間周波数が０．７〜３．０本／ｍｍ、信号強度の変化量が最大信号変化量の０〜６％の範囲内の画素に対し、信号強度の変化量を減少させる処理を施す又は不変とすることを特徴としている。
【００１０】
請求項５に記載の発明は、画像信号に所定の画像処理を施して出力する画像処理装置において、画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施す第１の画像処理部と、画像処理対象の画像信号のうち、空間周波数が０．７〜３．０本／ｍｍ、信号強度の変化量が最大信号変化量の０〜６％の範囲内の画素に対し、信号強度の変化量を減少させる処理を施す又は不変とする第２の画像処理部と、を備えることを特徴としている。
【００１１】
請求項９に記載の発明は、画像処理装置を制御するコンピュータに、画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施す第１の画像処理機能と、画像処理対象の画像信号のうち、空間周波数が０．７〜３．０本／ｍｍ、信号強度の変化量が最大信号変化量の０〜６％の範囲内の画素に対し、信号強度の変化量を減少させる処理を施す又は不変とする第２の画像処理機能と、を実現させる。
【００１２】
請求項１３に記載の発明は、画像信号に所定の画像処理を施して出力媒体に記録する画像記録部を備える画像記録装置において、画像処理対象の画像信号のうち、空間周波数が１．５〜３．０本／ｍｍ、信号強度の変化量が最大信号変化量の３０〜６０％の範囲内にある画素に対し、信号強度の変化量を増加させる処理を施す第１の画像処理部と、画像処理対象の画像信号のうち、空間周波数が０．７〜３．０本／ｍｍ、信号強度の変化量が最大信号変化量の０〜６％の範囲内の画素に対し、信号強度の変化量を減少させる処理を施す又は不変とする第２の画像処理部と、を備え、前記画像記録部は、前記第１の画像処理部により処理された画像信号と、前記第２の画像処理部により処理された画像信号を出力媒体に記録することを特徴としている。
【００１３】
請求項２に記載の発明は、請求項１に記載の画像処理方法において、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴としている。
【００１４】
請求項６に記載の発明は、請求項５に記載の画像処理装置において、前記第１の画像処理部は、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴としている。
【００１５】
請求項１０に記載の発明は、請求項９に記載の画像処理プログラムにおいて、前記第１の画像処理機能を実現させる際に、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴としている。
【００１６】
請求項１４に記載の発明は、請求項１３に記載の画像記録装置において、前記第１の画像処理部は、画像処理対象の画像信号のうち、空間周波数が１．５〜３．０本／ｍｍ、信号強度の変化量が最大信号変化量の３０〜６０％の範囲内にある画素に対し、信号強度の変化量を１．１〜１．５倍にする処理を施すことを特徴としている。
【００１７】
請求項３に記載の発明は、請求項１又は２に記載の画像処理方法において、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴としている。
【００１８】
請求項７に記載の発明は、請求項５又は６に記載の画像処理装置において、前記第２の画像処理部は、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴としている。
【００１９】
請求項１１に記載の発明は、請求項９又は１０に記載の画像処理プログラムにおいて、前記第２の画像処理機能を実現させる際に、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴としている。
【００２０】
請求項１５に記載の発明は、請求項１３又は１４に記載の画像記録装置において、前記第２の画像処理部は、画像処理対象の画像信号のうち、空間周波数が０．７〜３．０本／ｍｍ、信号強度の変化量が最大信号変化量の０〜６％の範囲内の画素に対し、信号強度の変化量を０〜０．７５倍にする処理を施すことを特徴としている。
【００２１】
請求項４に記載の発明は、請求項１〜３の何れか一項に記載の画像処理方法において、画像処理対象の画像信号を輝度信号と色差信号に変換し、前記輝度信号に対して、前記所定の画像処理が施されることを特徴としている。
【００２２】
請求項８に記載の発明は、請求項５〜７の何れか一項に記載の画像処理装置において、画像処理対象の画像信号を輝度信号と色差信号に変換する変換部を備え、前記第１の画像処理部は、前記輝度信号に対して、信号強度の変化量を増加させる処理を施し、前記第２の画像処理部は、前記輝度信号に対して、信号強度の変化量を減少させる処理を施す又は不変とすることを特徴としている。
【００２３】
請求項１２に記載の発明は、請求項９〜１１の何れか一項に記載の画像処理プログラムにおいて、画像処理対象の画像信号を輝度信号と色差信号に変換する変換機能を実現させ、前記第１の画像処理機能を実現させる際、前記輝度信号に対して、信号強度の変化量を増加させる処理を施し、前記第２の画像処理機能を実現させる際、前記輝度信号に対して、信号強度の変化量を減少させる処理を施す又は不変とすることを特徴としている。
【００２４】
請求項１６に記載の発明は、請求項１３〜１５の何れか一項に記載の画像記録装置において、画像処理対象の画像信号を輝度信号と色差信号に変換する変換部を備え、前記第１の画像処理部は、前記輝度信号に対して、信号強度の変化量を増加させる処理を施し、前記第２の画像処理部は、前記輝度信号に対して、信号強度の変化量を減少させる処理を施す又は不変とすることを特徴としている。
【００２５】
例えば、画像処理対象の画像信号が、ＲＧＢの３色で構成されていた場合、対象画素のＲＧＢ各々の信号強度の変化量を増加または減少させるが、画素のＲＧＢ値によっては、色ずれが生じる場合がある。従って、色ずれが生じないように、画像処理対象の画像信号を輝度信号と色差信号に変換し、輝度信号に対し処理を施すことが好ましい。
【００２６】
本発明によれば、画像信号のうち、空間周波数が１．５〜３．０本／ｍｍ、信号強度の変化量が最大信号変化量の３０〜６０％の範囲内にある画素に対し、信号強度の変化量を増加させる処理を施し、空間周波数が０．７〜３．０本／ｍｍ、信号強度の変化量が最大信号変化量の０〜６％の範囲内の画素に対し、信号強度の変化量を減少させる処理を施す又は不変とすることにより、画像の粒状性を抑制し、画像の鮮鋭性を高めることが可能になる。
【００２７】
次に、本発明において使用される語句について詳細に説明する。
【００２８】
本発明における「空間周波数」は、画像信号を印画紙、ハードコピー、表示装置等に出力したときの空間周波数を意味する。更に、本発明において「信号強度の変化量」とは、ある画素の信号強度と、その画素が空間周波数で規定させる画素の信号強度との差である。
【００２９】
また、本発明において、「最大信号変化量」とは、本発明における画像信号を処理するシステムがとりうる信号強度（信号値）の変化量の最大値を意味する。例えば、８ビット系のシステムの場合、画像信号の信号値は、０〜２５５の範囲をとりうるため、最大信号変化量は２５５となる。
【００３０】
更に、本発明において、信号強度の変化量が最大信号変化量の０〜６％の範囲の画素のうち、信号強度の変化量が最大信号変化量の０％の画素とは、信号強度の変化がない画素を示す。
【００３１】
また、請求項３、７、１１、１５に記載の発明において、信号強度の変化量を０倍にする処理とは、信号強度の変化量をなくす処理を示す。
【００３２】
請求項４、８、１２、１６に記載の発明において、「画像信号を輝度信号と色差信号に変換する」とは、例えば、画像処理対象の画像信号のＲＧＢの３色強度信号を、当業者間で公知のＹＩＱ基底、ＨＳＶ基底、ＹＵＶ基底等に変換するか、或いはｓＲＧＢやＮＴＳＣ等の規格に基づきＣＩＥ１９３１表色系のＸＹＺ基底、ＣＩＥ１９７６の勧告するＬ＊ａ＊ｂ＊基底、Ｌ＊ｕ＊ｖ＊基底等に変換することを意味する。また、例えば、特開昭６３−２６７８３号公報の実施例に見られるようなＲＧＢの平均値を輝度信号とし、これに直交する２軸を色差信号とするような変換でもよい。
【００３３】
【発明の実施の形態】
以下、図を参照して本発明の実施の形態を詳細に説明する。
【００３４】
〈画像記録装置１の外観構成〉
まず、画像記録装置１の構成を説明する。
【００３５】
図１は、本実施の形態における画像記録装置１の外観構成を示す斜視図である。画像記録装置１は、図１に示すように、筐体２の一側面に、感光材料を装填するためのマガジン装填部３が備えられている。筐体２の内側には、感光材料に露光する露光処理部４と、露光された感光材料を現像処理して乾燥し、プリントを作成するためのプリント作成部５が備えられている。筐体２の他側面には、プリント作成部５で作成されたプリントを排出するためのトレー６が備えられている。
【００３６】
また、筐体２の上部には、表示装置としてのＣＲＴ（Ｃａｔｈｏｄｅ  Ｒａｙ  Ｔｕｂｅ）８、透過原稿を読み込む装置であるフィルムスキャナ部９、反射原稿入力装置１０、操作部１１が備えられている。このＣＲＴ８が、プリントを作成しようとする画像情報の画像を画面に表示する表示手段を構成している。更に、筐体２には、各種デジタル記録媒体に記録された画像情報を読み取り可能な画像読込部１４、各種デジタル記録媒体に画像信号を書き込み（出力）可能な画像書込部１５が備えられている。また、筐体２の内部には、これらの各部を集中制御する制御部７が備えられている。
【００３７】
画像読込部１４には、ＰＣカード用アダプタ１４ａ、フロッピー（登録商標）ディスク用アダプタ１４ｂが備えられ、ＰＣカード１３ａやフロッピー（登録商標）ディスク１３ｂが差し込み可能になっている。ＰＣカード１３ａは、例えば、デジタルカメラで撮像された複数の駒画像の情報が記録されたメモリを有する。フロッピー（登録商標）ディスク１３ｂには、例えば、デジタルカメラで撮像された複数の駒画像の情報が記録される。
【００３８】
画像書込部１５には、フロッピー（登録商標）ディスク用アダプタ１５ａ、ＭＯ用アダプタ１５ｂ、光ディスク用アダプタ１５ｃが備えられ、それぞれ、ＦＤ１６ａ、ＭＯ１６ｂ、光ディスク１６ｃが差し込み可能になっている。光ディスク１６ｃとしては、ＣＤ−Ｒ、ＤＶＤ−Ｒ等がある。
【００３９】
なお、図１では、操作部１１、ＣＲＴ８、フィルムスキャナ部９、反射原稿入力装置１０、画像読込部１４が、筐体２に一体的に備えられた構造となっているが、これらの何れか１つ以上を別体として設けるようにしてもよい。
【００４０】
なお、図１に示した画像記録装置１では、感光材料に露光して現像してプリントを作成するものが例示されているが、プリント作成方式はこれに限定されず、例えば、インクジェット方式、電子写真方式、感熱方式、昇華方式等の方式を用いてもよい。
【００４１】
〈画像記録装置１の内部構成〉
図２は、画像記録装置１の内部構成を示すブロック図である。画像記録装置１は、図２に示すように、制御部７、露光処理部４、プリント生成部５、フィルムスキャナ部９、反射原稿入力装置１０、画像読込部１４、通信手段（入力）３２、画像書込部１５、データ蓄積手段７１、操作部１１、ＣＲＴ８、通信手段（出力）３３から構成される。
【００４２】
制御部７は、マイクロコンピュータにより構成され、ＲＯＭ（Ｒｅａｄ  Ｏｎｌｙ  Ｍｅｍｏｒｙ）等の記憶部（図示略）に記憶されている画像処理プログラム等の各種制御プログラムと、ＣＰＵ（Ｃｅｎｔｒａｌ  Ｐｒｏｃｅｓｓｉｎｇ  Ｕｎｉｔ）（図示略）との協働により、画像記録装置１を構成する各部の動作を制御する。
【００４３】
制御部７は、本発明の画像処理装置に係る画像処理部７０を有し、操作部１２からの入力信号（指令情報）に基づいて、フィルムスキャナ部９や反射原稿入力装置１０から読み取られた画像信号、画像読込部１４から読み込まれた画像信号、外部機器から通信手段３２を介して入力された画像信号に対して、本発明の画像処理を施して露光用画像情報を形成し、露光処理部４に出力する。また、画像処理部７０は、画像処理された画像信号に対して出力形態に応じた変換処理を施して出力する。画像処理部７０の出力先としては、ＣＲＴ８、画像書込部１５、通信手段（出力）３３等がある。
【００４４】
露光処理部４は、感光材料に画像の露光を行い、この感光材料をプリント作成部５に出力する。プリント作成部５は、露光された感光材料を現像処理して乾燥し、プリントＰ１、Ｐ２、Ｐ３を作成する。プリントＰ１は、サービスサイズ、ハイビジョンサイズ、パノラマサイズ等のプリントであり、プリントＰ２は、Ａ４サイズのプリントであり、プリントＰ３は、名刺サイズのプリントである。
【００４５】
フィルムスキャナ部９は、アナログカメラにより撮像された現像済みのネガフィルムＮ、リバーサルフィルム等の透過原稿に記録されたコマ画像を読み取り、コマ画像のデジタル画像信号を取得する。反射原稿入力装置１０は、フラットベットスキャナにより、プリントＰ（写真プリント、書画、各種の印刷物）上の画像を読み取り、デジタル画像信号を取得する。
【００４６】
画像読込部１４は、ＰＣカード１３ａやフロッピー（登録商標）ディスク１３ｂに記録された駒画像情報を読み出して制御部７に転送する。この画像読込部１４は、画像転送手段３０として、ＰＣカード用アダプタ１４ａ、フロッピー（登録商標）ディスク用アダプタ１４ｂ等を有する。画像読込部１４は、ＰＣカード用アダプタ１４ａに差し込まれたＰＣカード１３ａや、フロッピー（登録商標）ディスク用アダプタ１４ｂに差し込まれたフロッピー（登録商標）ディスク１３ｂに記録された駒画像情報を読み取り、制御部７に転送する。ＰＣカード用アダプタ１４ａとしては、例えばＰＣカードリーダやＰＣカードスロット等が用いられる。
【００４７】
通信手段（入力）３２は、画像記録装置１が設置された施設内の別のコンピュータや、インターネット等を介した遠方のコンピュータから、撮像画像を表す画像信号やプリント命令信号を受信する。
【００４８】
画像書込部１５は、画像搬送部３１として、フロッピー（登録商標）ディスク用アダプタ１５ａ、ＭＯ用アダプタ１５ｂ、光ディスク用アダプタ１５ｃを備えている。画像書込部１５は、制御部７から入力される書込信号に従って、フロッピー（登録商標）ディスク用アダプタ１５ａに差し込まれたフロッピー（登録商標）ディスク１６ａ、ＭＯ用アダプタ１５ｂに差し込まれたＭＯ１６ｂ、光ディスク用アダプタ１５ｃに差し込まれた光ディスク１６ｃに、本発明における画像処理方法によって生成された画像信号を書き込む。
【００４９】
データ蓄積手段７１は、画像情報とそれに対応する注文情報（どの駒の画像から何枚プリントを作成するかの情報、プリントサイズの情報等）とを記憶し、順次蓄積する。
【００５０】
操作部１１は、情報入力手段１２を有する。情報入力手段１２は、例えば、タッチパネル等により構成されており、情報入力手段１２の押下信号を入力信号として制御部７に出力する。なお、操作部１１は、キーボードやマウス等を備えて構成するようにしてもよい。ＣＲＴ８は、制御部７から入力された表示制御信号に従って、画像情報等を表示する。
【００５１】
通信手段（出力）３３は、本発明の画像処理を施した後の撮影画像を表す画像信号と、それに付帯するオーダー情報を、画像記録装置１が設置された施設内の他のコンピュータや、インターネット等を介した遠方のコンピュータに対して送信する。
【００５２】
〈画像処理部７０の構成〉
図３は、本発明の画像処理装置に係る画像処理部７０の機能的構成を示すブロック図である。画像処理部７０は、図３に示すように、フィルムスキャンデータ処理部７０１、反射原稿スキャンデータ処理部７０２、画像データ書式解読処理部７０３、画像調整処理部７０４、ＣＲＴ固有処理部７０５、プリンタ固有処理部７０６、プリント固有処理部７０７、画像データ書式作成処理部７０８から構成される。
【００５３】
フィルムスキャンデータ処理部７０１は、フィルムスキャナ部９から入力された画像情報に対し、フィルムスキャナ部９固有の校正操作・ネガ原稿の場合のネガポジ反転・グレーバランス調整・コントラスト調整等を施し、画像調整処理部７０４に出力する。また、フィルムスキャンデータ処理部７０１は、フィルムサイズ、ネガポジ種別、フィルムに光学的又は磁気的に記録されたＩＳＯ感度、メーカー名、主要被写体に関わる情報、撮影条件に関する情報（例えばＡＰＳの記載情報内容）なども併せて画像調整処理部７０４に出力する。
【００５４】
反射原稿スキャンデータ処理部７０２は、反射原稿入力装置１０から入力された画像情報に対し、反射原稿入力装置１０固有の校正操作、ネガ原稿の場合のネガポジ反転、グレーバランス調整、コントラスト調整等を施し、画像調整処理部７０４に出力する。
【００５５】
画像データ書式解読処理部７０３は、画像転送手段３０や通信手段（入力）３２から入力された画像信号のデータ書式に従って、圧縮符号の復元、色データの表現方法の変換等を行い、画像調整処理部７０４に出力する。
【００５６】
画像調整処理部７０４には、フィルムスキャンデータ処理部７０１、反射原稿スキャンデータ処理部７０２、画像データ書式解読処理部７０３において処理された画像情報を出力するほかに、操作部１１の操作によって、主要被写体に関わる情報及び撮影条件に関する情報を出力することが可能である。
【００５７】
画像調整処理部７０４は、フィルムスキャンデータ処理部７０１、反射原稿スキャンデータ処理部７０２、画像データ書式解読処理部７０３の何れか一つから入力されたカラー画像信号を、輝度信号と色差信号に分解する。そして、得られた輝度信号のうち、空間周波数が１．５〜３．０本／ｍｍ、信号強度の変化量が最大信号変化量の３０〜６０％の範囲内にある画素に対し、信号強度の変化量を増加させる処理（鮮鋭性強調処理）を施し、空間周波数が０．７〜３．０本／ｍｍ、信号強度の変化量が最大信号変化量の０〜６％の範囲内の画素に対し、信号強度の変化量を抑制する抑制処理を施す。この抑制処理は、高周波帯域成分の画像信号に含まれるノイズ成分を除去する処理（ノイズ除去処理）に対応する。なお、空間周波数が０．７〜３．０本／ｍｍ、信号強度の変化量が最大信号変化量の０〜６％の範囲内の画素には、抑制処理を施さないようにしてもよい。
【００５８】
空間周波数と信号強度の変化量の変化率を測定する方法としては、正弦波の空間周波数及び振幅が異なる複数の画像信号を、処理前の画像信号に対して市販のレタッチソフト等を用いて貼り込み、その画像信号に対して画像処理を施し、処理前の振幅値に対する処理後の振幅値の変化を測定すればよい。
【００５９】
上述の鮮鋭性強調処理及びノイズ除去処理の具体的な実施方法の一例として、ウェーブレット変換の一つである二項ウェーブレット（Ｄｙａｄｉｃ  Ｗａｖｅｌｅｔ）変換を用いることができる。また、鮮鋭性強調処理を実行する際、一般的な鮮鋭性強調処理技法と、二項ウェーブレット変換を組み合わせて用いることができる。ウェーブレット変換の概要及び二項ウェーブレット変換の詳細は、後に図４〜図８を参照して説明する。また、二項ウェーブレット変換を用いた鮮鋭性強調処理及びノイズ除去処理については、後に図９を参照して説明する。
【００６０】
また、画像調整処理部７０４は、画像処理が施された画像信号を、操作部１１又は制御部７の指令に基づいて、ＣＲＴ固有処理部７０５、プリンタ固有処理部７０６、プリンタ固有処理部７０７、画像データ書式作成部７０８、データ蓄積手段７１に出力する。
【００６１】
ＣＲＴ固有処理部７０５は、画像調整処理部７０４から入力された画像処理済みの画像信号に対して、必要に応じて画素数変更・カラーマッチング等の処理を施し、制御情報等表示が必要な情報と合成した表示用の信号をＣＲＴ８に出力する。
【００６２】
プリンタ固有処理部７０６は、画像調整処理部７０４から入力された画像処理済みの画像信号に対して、必要に応じてプリンタ固有の校正処理、カラーマッチング、画素数変更等を行い、露光処理部４に出力する。
【００６３】
本実施の形態の画像記録装置１に、大判インクジェットプリンタ等の外部プリンタ３４が接続されている場合には、接続されたプリンタ毎にプリンタ固有処理部７０７が設けられている。このプリンタ固有処理部７０７は、画像調整処理部７０４から入力された画像処理済みの画像に対して、適正なプリンタ固有の校正処理・カラーマッチング・画素数変更等を行う。
【００６４】
画像データ書式作成処理部７０８は、画像調整処理部７０４から入力された画像処理済みの画像信号に対して、必要に応じてＪＰＥＧ、ＴＩＦＦ（Ｔａｇｇｅｄ  Ｉｍａｇｅ  Ｆｉｌｅ  Ｆｏｒｍａｔ）、Ｅｘｉｆ（Ｅｘｃｈａｎｇｅａｂｌｅ  Ｉｍａｇｅ  Ｆｉｌｅ  Ｆｏｒｍａｔ）等に代表される各種の汎用画像フォーマットへの変換を行い、画像搬送部３１や通信手段（出力）３３に出力する。
【００６５】
なお、フィルムスキャンデータ処理部７０１、反射原稿スキャンデータ処理部７０２、画像データ書式解読処理部７０３、画像調整処理部７０４、ＣＲＴ固有処理部７０５、プリンタ固有処理部７０６及び７０７、画像データ書式作成処理部７０８という区分は、本実施の形態の画像処理部７０の機能の理解を助ける為に設けた区分であり、必ずしも物理的に独立したデバイスとして実現される必要はなく、例えば、単一のＣＰＵにおけるソフトウエア処理の種類の区分として実現されてもよい。また、本実施の形態における画像記録装置１は、上述の内容に限定されるものではなく、デジタルフォトプリンタ、プリンタドライバ、各種の画像処理ソフトのプラグイン等、種種の形態に適用することができる。
【００６６】
〈ウェーブレット変換の概要〉
ウェーブレット変換とは、多重解像度変換の一つで、１回の変換操作により入力信号を低周波帯域成分信号と高周波帯域成分信号に分解し、得られた低周波帯域成分信号に対して同様の変換操作を行い、周波数帯域が異なる複数の信号からなる多重解像度信号を得るものである。得られた多重解像度信号を加工せずにそのまま逆多重解像度変換した場合、元の信号が再構成される。こうした手法については、例えば、Ｇ．  Ｓｔｒａｎｇ、Ｔ．  Ｎｇｕｙｅｎ著“Ｗａｖｅｌｅｔ  ａｎｄ  Ｆｉｌｔｅｒ  Ｂａｎｋｓ”Ｗｅｌｌｅｓｌｅｙ−Ｃａｍｂｒｉｄｇｅ  Ｐｒｅｓｓ（邦訳  Ｇ．ストラング、Ｔ．グエン共著「ウェーブレット解析とフィルタバンク」培風館）に詳細な解説がなされている。
【００６７】
ウェーブレット変換とは、図４に例示されるような有限範囲で振動するウェーブレット関数（式（１））を用いて、入力信号ｆ（ｘ）に対するウェーブレット変換係数〈ｆ、ψａ，ｂ〉を、式（２）のように求めることにより、式（３）で示されるウェーブレット関数の総和に分解する変換である。
【数１】
2004326325.tif 000003
【数２】
2004326325.tif 000004
【数３】
2004326325.tif 000005
【００６８】
式（１）〜式（３）において、ａはウェーブレット関数のスケールを表し、ｂはウェーブレット関数の位置を示す。図４に例示するように、スケールａの値が大きいほどウェーブレット関数ψａ，ｂ（ｘ）の周波数は小さくなり、位置ｂの値に従ってウェーブレット関数ψａ，ｂ（ｘ）が振動する位置が移動する。従って、式（３）は、入力信号ｆ（ｘ）が、種々のスケールと位置を有するウェーブレット関数ψａ，ｂ（ｘ）の総和に分解されることを示している。
【００６９】
〈二項ウェーブレット変換〉
次に、ウェーブレット変換の一つである二項ウェーブレット変換について説明する。二項ウェーブレット変換については、Ｓ．  Ｍａｌｌａｔ、Ｗ．Ｌ．  Ｈｗａｎｇ著“Ｓｉｎｇｕｌａｒｉｔｙ  ｄｅｔｅｃｔｉｏｎ  ａｎｄ  ｐｒｏｃｅｓｓｉｎｇ  ｗｉｔｈ  ｔｈｅ  ｗａｖｅｌｅｔｓ”ＩＥＥＥ  Ｔｒａｎｓ．  Ｉｎｆｏｒｍ．  Ｔｈｅｏｒｙ、１９９２年、３８、ｐ．６１７や、Ｓ．Ｍａｌｌａｔ、Ｓ．Ｚｈｏｎｇ著”Ｃｈａｒａｃｔｅｒｉｚａｔｉｏｎ  ｏｆ  ｓｉｇｎａｌｓ  ｆｒｏｍ  ｍｕｌｔｉｓｃａｌｅ  ｅｄｇｅｓ”ＩＥＥＥ  Ｔｒａｎｓ．  Ｐａｔｔｅｒｎ  Ａｎａｌ．  Ｍａｃｈｉｎｅ  Ｉｎｔｅｌ．  １４  ７１０  （１９９２）、Ｓ．Ｍａｌｌａｔ著“Ａ  ｗａｖｅｌｅｔ  ｔｏｕｒ  ｏｆ  ｓｉｇｎａｌ  ｐｒｏｃｅｓｓｉｎｇ  ２ｅｄ．”
Ａｃａｄｅｍｉｃ  Ｐｒｅｓｓ  に詳細な説明がある。
【００７０】
二項ウェーブレット変換で用いられるウェーブレット関数は、式（４）のように定義される。
【数４】
2004326325.tif 000006
但し、ｉは自然数である。式（４）より、二項ウェーブレット変換では、ウェーブレット関数のスケールａが、２のｉ乗で離散的に定義されている。このｉは、「レベル」と呼ばれる。
【００７１】
入力信号ｆ（ｘ）を、式（４）のウェーブレット関数ψｉ，ｊ（ｘ）を用いて表すと、下記の式（５）のようになる。
【数５】
2004326325.tif 000007
ここで、式（５）の右辺第２項は、レベル１のウェーブレット関数ψ１，ｊ（ｘ）の総和で表せない残差の低周波帯域成分を、レベル１のスケーリング関数φ１，ｊ（ｘ）の総和で表したものである。スケーリング関数はウェーブレット関数に対応して適切なものが用いられる（段落番号００６６に記載の文献を参照）。式（５）に示すレベル１のウェーブレット変換によって、入力信号ｆ（ｘ）＝Ｓ０は、レベル１の高周波帯域成分Ｗ１と低周波帯域成分Ｓ１に信号分解されることになる。
【００７２】
レベルｉ―１の低周波帯域成分Ｓｉ−１は、式（６）に示すように、レベルｉの高周波帯域成分Ｗｉと低周波帯域成分Ｓｉに信号分解される。
【数６】
2004326325.tif 000008
【００７３】
二項ウェーブレット変換のウェーブレット関数は、式（４）に示すように、レベルｉに関わらず、位置ｂの最小移動単位が一定であることから、二項ウェーブレット関数は、下記の特徴を有する。
【００７４】
二項ウェーブレット変換の第一の特徴として、式（６）に示す１レベルの二項ウェーブレット変換で生成される、高周波帯域成分Ｗｉと低周波帯域成分Ｓｉの各々の信号量は、変換前の信号Ｓｉ−１と同一である。
【００７５】
二項ウェーブレット変換の第二の特徴として、スケーリング関数φｉ，ｊ（ｘ）とウェーブレット関数ψｉ，ｊ（ｘ）の間に、下記の関係式（７）が成立する。
【数７】
2004326325.tif 000009
従って、二項ウェーブレット変換で生成される高周波帯域成分Ｗｉは、低周波帯域成分Ｓｉの１階微分（勾配）で表される。
【００７６】
二項ウェーブレット変換の第三の特徴として、ウェーブレット変換のレベルｉに応じて定められた係数γｉ（上述の二項ウェーブレットに関する参考文献を参照）を高周波帯域成分に乗じたＷｉ・γｉ（以下、これを補正済高周波帯域成分と称す）について、入力信号の信号変化の特異性（ｓｉｎｇｕｌａｒｉｔｙ）に応じて、該変換後の補正済高周波帯域成分Ｗｉ・γｉの信号強度のレベル間の関係が一定の法則に従う。
【００７７】
図５に、入力信号Ｓ０の波形と、ウェーブレット変換により得られる各レベルの補正済高周波帯域成分の波形を示す。図５において、（ａ）は入力信号Ｓ０を示し、（ｂ）はレベル１の二項ウェーブレット変換により得られる補正済高周波帯域成分Ｗ１・γ１を示し、（ｃ）はレベル２の二項ウェーブレット変換により得られる補正済高周波帯域成分Ｗ２・γ２を示し、（ｄ）はレベル３の二項ウェーブレット変換により得られる補正済高周波帯域成分Ｗ３・γ３を示し、（ｅ）はレベル４の二項ウェーブレット変換により得られる補正済高周波帯域成分Ｗ・γ４を示す。
【００７８】
各レベルにおける信号強度の変化を見ると、（ａ）において、“１”や“４”に示すなだらかな（微分可能な）信号変化に対応する補正済高周波帯域成分Ｗｉ・γｉは、（ｂ）→（ｅ）に示すようにレベル数ｉが増大するほど信号強度が増大する。
【００７９】
入力信号Ｓ０において、“２”に示すステップ状の信号変化に対応する補正済高周波帯域成分Ｗｉ・γｉは、レベル数ｉに関わらず信号強度が一定となる。入力信号Ｓ０において、“３”に示すδ関数状の信号変化に対応する補正済高周波帯域成分Ｗｉ・γｉは、（ｂ）→（ｅ）に示すように、レベル数ｉが増大するほど信号強度が減少する。
【００８０】
二項ウェーブレット変換における第四の特徴として、画像信号のような２次元信号における１レベルの二項ウェーブレット変換の方法は、以下の図６に示す方法で行われる。
【００８１】
図６に示すように、１レベルの二項ウェーブレット変換により、入力信号Ｓｎ−１を、ｘ方向のローパスフィルタＬＰＦｘ及びｙ方向のローパスフィルタＬＰＦｙで処理することにより、低周波帯域成分Ｓｎが得られる。また、入力信号Ｓｎ−１を、ｘ方向のハイパスフィルタＨＰＦｘで処理することにより、高周波帯域成分Ｗｘｎが得られる。更に、入力信号Ｓｎ−１を、ｙ方向のハイパスフィルタＨＰＦｙで処理することにより、もう一つの高周波帯域成分Ｗｙｎが得られる。
【００８２】
このように、１レベルの二項ウェーブレット変換により、入力信号Ｓｎ−１は、２つの高周波帯域成分Ｗｘｎ、Ｗｙｎと、１つの低周波帯域成分Ｓｎに分解される。２つの高周波帯域成分Ｗｘｎ、Ｗｙｎは、低周波帯域成分Ｓｎの２次元における変化ベクトルＶｎのｘ成分とｙ成分に相当する。変化ベクトルＶｎの大きさＭｎと偏角Ａｎは式（８）及び式（９）で与えられる。
【数８】
2004326325.tif 000010
【数９】
2004326325.tif 000011
【００８３】
また二項ウェーブレット変換で得られた２つの高周波帯域成分Ｗｘｎ、Ｗｙｎと１つの低周波帯域成分Ｓｎに、図７に示す二項ウェーブレット逆変換を施すことにより、変換前の信号Ｓｎ−１を再構成することができる。すなわち、Ｓｎをｘ方向のローパスフィルタＬＰＦｘ及びｙ方向のローパスフィルタＬＰＦｙで処理することにより得られる信号と、Ｗｘｎをｘ方向のハイパスフィルタＨＰＦｘ及びｙ方向のローパスフィルタＬＰＦｙで処理することにより得られる信号と、Ｗｙｎをｘ方向のローパスフィルタＬＰＦｘ及びｙ方向のハイパスフィルタＨＰＦｙで処理することにより得られる信号と、を加算することによって、二項ウェーブレット変換前の信号Ｓｎ−１を得ることができる。
【００８４】
次に、図８のブロック図に基づいて、入力信号Ｓ０に対してｎレベルの二項ウェーブレット変換を行い、得られた高周波帯域成分、低周波帯域成分に対して何らかの画像処理（図８では「編集」と記述。）を行った後に、ｎレベルの二項ウェーブレット逆変換を行って出力信号Ｓ０’を得るまでの方法について説明する。
【００８５】
入力信号Ｓ０に対するレベル１の二項ウェーブレット変換によって、入力信号Ｓ０は、２つの高周波帯域成分Ｗｘ１、Ｗｙ１と低周波帯域成分Ｓ１に分解される。レベル２のウェーブレット変換によって、レベル１の二項ウェーブレット変換で得られた低周波帯域成分Ｓ１は、更に２つの高周波帯域成分Ｗｘ２、Ｗｙ２と低周波帯域成分Ｓ２に分解される。この様な分解操作をレベルｎまで繰り返すことにより、入力信号Ｓ０は、複数の高周波帯域成分Ｗｘ１、Ｗｘ２、…、Ｗｘｎ、Ｗｙ１、Ｗｙ２、…、Ｗｙｎと、１つの低周波帯域成分Ｓｎとに分解される。
【００８６】
このようにして得られた高周波帯域成分Ｗｘ１、Ｗｘ２、…、Ｗｘｎ、Ｗｙ１、Ｗｙ２、…、Ｗｙｎ、低周波帯域成分Ｓｎに対して画像処理（編集）が行われ、高周波帯域成分Ｗｘ１’、Ｗｘ２’、…、Ｗｘｎ’、Ｗｙ１’、Ｗｙ２’、…、Ｗｙｎ’、低周波帯域成分Ｓｎ’が得られる。
【００８７】
そして、これら高周波帯域成分Ｗｘ１’、Ｗｘ２’、…、Ｗｘｎ’、Ｗｙ１’、Ｗｙ２’、…、Ｗｙｎ’、低周波帯域成分Ｓｎ’に、二項ウェーブレット逆変換が施される。すなわち、画像処理（編集）後のレベルｎにおける２つの高周波帯域成分Ｗｘｎ’、Ｗｙｎ’と低周波帯域成分Ｓｎ’から、画像処理後のレベルｎ−１の低周波帯域成分Ｓｎ−１’が構成される。このような操作を繰り返し、画像処理後のレベル２における２つの高周波帯域成分Ｗｘ２’、Ｗｙ２’と低周波帯域成分Ｓ２’から、画像処理後のレベル１の低周波帯域成分Ｓ１’が構成される。この低周波帯域成分Ｓ１’と、画像処理後のレベル１における２つの高周波帯域成分Ｗｘ１’、Ｗｙ１’から、画像信号Ｓ０’が構成される。
【００８８】
なお、図８において用いられる各フィルタのフィルタ係数は二項ウェーブレット変換に応じて適切に定められる。また二項ウェーブレット変換においては、レベル毎に用いるフィルタのフィルタ係数が異なる。レベルｎにおいて使用するフィルタ係数は、レベル１のフィルタの各係数の間に２ｎ−１−１個のゼロを挿入したものが用いられる。
【００８９】
〈鮮鋭性強調処理及びノイズ除去処理〉
次に、図３の画像調整処理部７０４において実行される処理の一例として、二項ウェーブレット変換を用いた鮮鋭性強調処理及びノイズ除去処理について説明する。図９は、二項ウェーブレット変換（及び二項ウェーブレット逆変換）を用いた処理に係るシステムブロック図である。
【００９０】
なお、二項ウェーブレット変換及び二項ウェーブレット逆変換で用いられるフィルタの係数は、表１に示すものを用いるものとする。表１及び図９において、Ｄ＿ＨＰＦ１、Ｄ＿ＬＰＦ１は、それぞれ、二項ウェーブレット変換用のハイパスフィルタ、ローパスフィルタを示す。また、Ｄ＿ＨＰＦ’１、Ｄ＿ＬＰＦ’１は、それぞれ、二項ウェーブレット逆変換用のハイパスフィルタ、ローパスフィルタを示す。
【表１】
2004326325.tif 000012
表１において、α＝０のフィルタ係数は、現在処理している画素に対するフィルタ係数で、α＝−１のフィルタ係数は、現在処理している画素の１つ前の画素のフィルタ係数で、α＝＋１のフィルタ係数は、現在処理している画素の１つ後の画素に対するフィルタ係数である。
【００９１】
二項ウェーブレット変換においては、レベル毎にフィルタ係数が異なる。レベルｎのフィルタ係数は、レベル１のフィルタの各係数の間に２ｎ−１−１個のゼロを挿入したものが用いられる。
【００９２】
また二項ウェーブレット変換のレベルｉに応じて定められる補正係数γｉは、下記の表２で示される。
【表２】
2004326325.tif 000013
【００９３】
次に、図９を参照して、本実施の形態における動作を説明する。
まず、フィルムスキャンデータ処理部７０１、反射原稿スキャンデータ処理部７０２、画像データ書式解読処理部７０３の何れか一つから入力されたカラー画像信号が、ＲＧＢ信号から輝度信号と色差信号に変換される。次いで、この輝度信号に対して、レベルＡまでの二項ウェーブレット変換が施される。次いで、各レベルｉの二項ウェーブレット変換により生成された高周波帯域成分の画像信号の信号強度の絶対値の標準偏差σが算出され、鮮鋭性強調の基準となる閾値σ＊Ｂｉ、ノイズ除去処理の基準となる閾値σ＊Ｃｉが決定される。ここで、「＊」は、乗算を示す。
【００９４】
次いで、各レベルｉの二項ウェーブレット変換により生成された高周波帯域成分の画像信号のうち、閾値σ＊Ｂｉ以上の信号強度を有する画素の信号強度がＤｉ倍（Ｄｉ＞１．０）に強調され、閾値σ＊Ｃｉ以下の信号強度を有する画素の信号強度がＥｉ倍（Ｅｉ≦１．０）に抑制される。信号強度の強調処理及び抑制処理が行われた後、二項ウェーブレット逆変換行われる。ここで、倍数Ｅｉは、空間周波数が０．７〜３．０本／ｍｍ、信号強度の変化量が最大信号変化量の０〜６％の範囲内にある画素に対し、信号強度の変化量を１．０倍、つまり変化させない場合は、１．０となる。
【００９５】
レベルＡ、係数Ｂｉ、係数Ｃｉ、倍数Ｄｉ、倍数Ｅｉは、画像の被写体の種類、画像信号の画素数、出力解像度、出力サイズ等により異なる。例えば、１３５サイズ、ＩＳＯ８００の銀塩フィルムに記録された画像を、４０〜８０ｐｉｘｅｌ／ｍｍ程度の解像度のフィルムスキャナで読み取り、画像処理後に、３００ｄｐｉ程度の出力解像度で２Ｌ版サイズの銀塩印画紙に出力する場合、Ａ＝２、Ｂ１＝０．６、Ｃ１＝０．４、Ｄ１＝１．３、Ｅ１＝０、Ｂ２＝０．８、Ｃ２＝０．７、Ｄ２＝１．６、Ｅ２＝０にする。この場合の処理について、図９を参照して説明する。
【００９６】
入力信号Ｓ０を輝度信号とすると、輝度信号Ｓ０に対して、レベル１の二項ウェーブレット変換が施され、高周波帯域成分信号Ｗｖ１、Ｗｈ１と、低周波帯域成分信号Ｓ１が生成される。その後、Ｓ１に対して、レベル２の二項ウェーブレット変換が施され、高周波帯域成分信号Ｗｖ２、Ｗｈ２と、低周波帯域成分信号Ｓ２が生成される。
【００９７】
次いで、レベル１及びレベル２の二項ウェーブレット変換により生成された各高周波帯域成分信号の信号強度の絶対値の標準偏差σが算出され、レベル１での鮮鋭性強調の基準となる閾値σ＊０．６、ノイズ除去処理の基準となる閾値σ＊０．４、レベル２での鮮鋭性強調の基準となる閾値σ＊０．８、ノイズ除去処理の基準となる閾値σ＊０．７が決定される。
【００９８】
次いで、レベル１の高周波帯域成分信号Ｗｖ１、Ｗｈ１の各々に対して、σ＊０．６以上の信号強度を有する画素が１．３倍に強調され、σ＊０．４以下の信号強度を有する画素の信号強度を０に抑制する処理が施される。また、レベル２の高周波帯域成分信号Ｗｖ２、Ｗｈ２の各々に対して、σ＊０．８以上の信号強度を有する画素が１．６倍に強調され、σ＊０．７以下の信号強度を有する画素の信号強度を０に抑制する処理が施される。
【００９９】
信号強度の強調処理及び抑制処理が行われた後、二項ウェーブレット逆変換行われ、処理済みの輝度信号Ｓ０’が得られる。その後、処理済み信号Ｓ０’は、ＲＧＢ信号に変換され（図示略）、処理済みのカラー画像信号が得られる。
【０１００】
図１０に、本実施の形態における複数の画像処理を実施した場合の画像評価結果を示す。図１０では、１３５サイズ、ＩＳＯ８００の銀塩フィルムに記録された画像を、６４ｐｉｘｅｌ／ｍｍ程度の解像度のフィルムスキャナで読み取り、本実施の形態の画像処理後に、３００ｄｐｉ程度の出力解像度で２Ｌ版サイズの銀塩印画紙に出力した場合の画像の評価結果を示している。図１０では、画像処理条件が異なる７つの画像処理（実験１〜実験７）を行った場合の、１０人の被験者による５段階評価の平均値を画像の評価結果としている。ここで、画像処理条件とは、画像信号の空間周波数の範囲、最大信号変化量に対する信号強度の変化量の範囲、鮮鋭性強調又はノイズ除去処理のために信号強度の変化量に乗ずる倍数の範囲（倍数分布）を示す。
【０１０１】
図１０によれば、実験１、実験６及び実験７の画像処理を行った場合の評価結果が、他の実験による評価結果よりも高くなっていることがわかる。よって、空間周波数が１．５〜３．０本／ｍｍ、信号強度の変化量が最大信号変化量の３０〜６０％の範囲内にある画素に対しては、信号強度の変化量を１．１倍〜１．５倍（特に、１．１５倍〜１．３５倍）にする処理（鮮鋭性強調処理）を施し、空間周波数が０．７〜３．０本／ｍｍ、信号強度の変化量が最大信号変化量の０〜６％の範囲内の画素に対しては、信号強度の変化量を０倍より大きく０．７５倍以下（特に、０．２〜０．６倍）にする処理又は０にする処理（ノイズ除去処理）を施すことが好ましいことがわかる。
【０１０２】
なお、空間周波数が１．５〜３．０本／ｍｍ、信号強度の変化量が最大信号変化量の３０〜６０％の範囲内にある画素に対して、信号強度の変化量を１．５倍以上にすると、良好な鮮鋭性を得ることができるが、画像の被写体の種類によっては、アーティファクトが生じることがあるため、上述のように１．５倍以下とするのが好ましい。
【０１０３】
また、空間周波数が１．５〜３．０本／ｍｍ、信号強度の変化量が最大信号変化量の３０〜６０％の範囲の外側近傍の信号強度の変化量を、範囲内の増加率より低い増加率で増加させるようにしてもよい。例えば、空間周波数が１．５〜３．０本／ｍｍ、信号強度の変化量が最大信号変化量の３０〜６０％の範囲内にある画素に対して、信号強度の変化量を１．１倍〜１．５倍にする場合、空間周波数が３．０〜３．５本／ｍｍ、信号強度の変化量が最大信号変化量の３０〜６０％の範囲内にある画素に対して、信号強度の変化量を１．０５倍にしてよい。
【０１０４】
また、空間周波数が０．７〜３．０本／ｍｍ、信号強度の変化量が最大信号変化量の０〜６％の範囲の外側近傍の信号強度の変化量を、範囲内の減少率より低い減少率で減少させるようにしてもよい。例えば、空間周波数が１．５〜３．０本／ｍｍ、信号強度の変化量が最大信号変化量の０〜３％の範囲内にある画素に対して、信号強度の変化量を０〜０．５倍にする処理を施してよい。
【０１０５】
以上のように、本実施の形態の画像記録装置１によれば、空間周波数が１．５〜３．０本／ｍｍ、信号強度の変化量が最大信号変化量の３０〜６０％の範囲内にある画素に対し、信号強度を増加させる処理（鮮鋭性強調処理）を施し、空間周波数が０．７〜３．０本／ｍｍ、信号強度の変化量が最大信号変化量の０〜６％の範囲内の画素に対し、信号強度を減少させる又は不変にする抑制処理を施すことにより、画像の粒状性を抑制し、画像の鮮鋭性を高めることが可能になる。
【０１０６】
なお、本実施の形態における記述内容は、本発明の趣旨を逸脱しない範囲で適宜変更可能である。
【０１０７】
【発明の効果】
本発明によれば、画像信号のうち、空間周波数が１．５〜３．０本／ｍｍ、信号強度の変化量が最大信号変化量の３０〜６０％の範囲内にある画素に対し、信号強度の変化量を増加させる処理を施し、空間周波数が０．７〜３．０本／ｍｍ、信号強度の変化量が最大信号変化量の０〜６％の範囲内の画素に対し、信号強度の変化量を減少させる処理を施す又は不変とすることにより、画像の粒状性を抑制し、画像の鮮鋭性を高めることが可能になる。
【図面の簡単な説明】
【図１】本実施の形態における画像記録装置１の外観構成を示す斜視図である。
【図２】画像記録装置１の内部構成を示すブロック図である。
【図３】図２の画像処理部７０の機能的構成を示すブロック図である。
【図４】ウェーブレット関数を示す図である。
【図５】入力信号Ｓ０の波形と、ウェーブレット変換により得られる各レベルの補正済高周波帯域成分Ｗ・γの波形を示す図である。
【図６】２次元信号における１レベルの二項ウェーブレット変換のフィルタ処理を示すシステムブロック図である。
【図７】２次元信号における１レベルの二項ウェーブレット逆変換のフィルタ処理を示すシステムブロック図である。
【図８】入力信号Ｓ０に対する二項ウェーブレット変換から、画像処理が施された信号Ｓ０’を得るまでの処理を示すシステムブロック図である。
【図９】画像調整処理部７０４の内部処理に係るシステムブロック図の一例である。
【図１０】画像処理条件の異なる複数の画像処理を行った場合の画像評価結果を示す図である。
【符号の説明】
１    画像記録装置
４  露光処理部（画像記録部）
５  プリント作成部（画像記録部）
７    制御部
８    ＣＲＴ
９    フィルムスキャナ部
１０    反射原稿入力装置
１１    操作部
１２    情報入力手段
１４    画像読込部
１５    画像書込部
３０    画像転送手段
３１    画像搬送部
３２    通信手段（入力）
３３    通信手段（出力）
３４    外部プリンタ
７０    画像処理部（画像処理装置）
７０１  フィルムスキャンデータ処理部
７０２  反射原稿スキャンデータ処理部
７０３  画像データ書式解読処理部
７０４  画像調整処理部（第１の画像処理部、第二の画像処理部、変換部）
７０５  ＣＲＴ固有処理部
７０６、７０７  プリント固有処理部
７０８  画像データ書式作成処理部
７１    データ蓄積手段
【図１】
2004326325.tif 000014
【図２】
2004326325.tif 000015
【図３】
2004326325.tif 000016
【図４】
2004326325.tif 000017
【図５】
2004326325.tif 000018
【図６】
2004326325.tif 000019
【図７】
2004326325.tif 000020
【図８】
2004326325.tif 000021
【図９】
2004326325.tif 000022
【図１０】
2004326325.tif 000023